(57)【要約】    【課題】  椅子に腰かけた姿勢及び床に座した姿勢で造形物の作成ができる作業台をそなえ、ブロック玩具のパーツおよび仕掛品を分別して簡易かつ見栄えよく整理整頓することができる作業台兼用整理箱を提供する。    【解決手段】  等大の２個の立方体の下箱１と上箱３はそれぞれ１面が回動軸で軸支される扉板３、４になっており、上箱３には扉板４の軸と平行な回動軸で軸支される支え板５が付加されており、上箱３を下箱１に載置した際に扉板の対面で互いに接する１稜を軸として回動可能に連結されて、２つの箱が縦置配置と横置配置が取れるように接続されており、縦置配置にあっては、上箱３の上面と、扉板４と支え板５の上縁とで天板７を支持し、横置配置にあっては、下箱１と上箱３の上に向いた面と、扉板２、扉板４及び支え板５のいずれかの上縁とで天板７を支持して、作業台とする。【選択図】  図１
2018068388.tif 000002
【特許請求の範囲】
【請求項１】
等大の２個の立方体の箱体と該箱体に載置する天板とからなり、第１の箱体及び第２の箱体はそれぞれ１面が一稜に設けられる回動軸で回動可能に軸支される扉板になっており、前記第２の箱体には前記扉板の軸と平行な隣り合う稜を支持軸として支え板が付加されており、前記扉板の回動軸が同一軸となる位置で前記第２の箱体を前記第１の箱体に載置した際に扉面の対面で互いに接する１稜を軸として回動可能に連結されて、前記第２の箱体が前記第１の箱体の上面に位置する縦置配置と前記第２の箱体が前記第１の箱体の背面に位置する横置姿勢が取れるよう前記第１の箱体に接続されている整理箱であって、前記縦置姿勢にあっては、前記第２の箱体に備わる扉板と前記支え板を開けた状態にして該扉板と該支え板の上縁及び前記第２の箱体の上面で前記天板を支持するとともに、前記横置姿勢にあっては、前記第１の箱体の上面と塩基第２の箱体の上に向いた面と、前記第１の箱体の開けた扉板の上縁、前記第２の箱体の開けた扉板の上縁及び開けた前記支え板の上縁のいずれかとで前記天板を支持することを特徴とする作業台兼用整理箱。
【請求項２】
前記第２の箱体の両側面間に受軸が、前記第２の箱体と前記第１の箱体を回動させる軸に平行に架設されており、該受軸に回転かごが軸支されて配されていることを特徴とする請求項１に記載の作業台兼用整理箱。
【請求項３】
前記天板は、前記箱体の稜の長さの約２倍の長さの辺を持つ正方形をなし、かつ１対の対辺を結ぶ中心線で２つ折り可能に形成されており、折り畳んだ状態で前記整理箱の側面に脱着可能に固着できるものであることを特徴とする請求項１または２に記載の作業台兼用整理箱。
【請求項４】
前記第２の箱体の扉板及び前記支え板が、支持軸の反対側かつ前記縦置姿勢で下方に当たる一角が切り欠いてあることを特徴とする請求項１から３のいずれかに記載の作業台兼用整理箱。
【発明の詳細な説明】
【技術分野】
【０００１】
本発明は、作業台を兼ね備えた整理箱に関し、特にブロック玩具等の部品と仕掛品を分別して収納し、簡便に片づけることができる作業台兼用整理箱に関する。
【背景技術】
【０００２】
例えばレゴ（登録商標）ブロック（レゴ  ジュリス  エー／エス）やニューブロック（株式会社  学研ホールディングス）の様な、小さな部品を多数嵌め合わせて動物や乗り物の様な造形物を組み上げるブロック玩具が広く普及している。しかし、ブロック玩具は部品の数が多く作業中にどうしても散らかってしまうことや、大きな造形物を作成しようとすると時間の制約などにより途中で一旦片づけなければならないことがあって、整理整頓が難しく、子どもが親に叱られる原因になりやすい。そこで、ブロック玩具を簡易かつ見栄えよく整理整頓することができる什器が求められている。
【０００３】
ブロック玩具で遊ぶ際には、造形物を固定する作業台と、部品を入れる容器が必要である。さらに、造形物の製作中に作業を中断して片づける際には、仕掛中の造形物を、形姿を保ったまま格納する容器が必要になる。すなわち、ブロック玩具用の什器には、作業台、ブロック部品用容器、仕掛品用容器が簡単に見栄えよく収められる機能を備えなければならない。
【０００４】
例えば特許文献１には、置台と収納箱が一体となった玩具用什器が公開されている。図５は特許文献１に公開された雛壇兼収納箱の側面図である。図は収納箱を展開した状態であり、形成されたひな壇にひな人形や五月人形を展示できる形態となっている。天板の図上右端に蝶番が備わって１８０°回動するように配備されており、天板を支える側板も同様に図上右端で回動するように形成されている。天板部と側板をそれぞれ図上右側に回動させると、図中一点鎖線で示すように、ひな壇の上部が下部に覆い被さり、側板が側面を覆って、コンパクトな直方体の箱状になる。ひな人形等は収納部に格納して片づけることができる。
【０００５】
特許文献１は、昨今の住宅事情や生活スタイルの変化からもたらされるひな人形のコンパクト化や展示の簡便化の要請にこたえて考案されたもので、人形を収める収納箱を展開することでひな壇として使用できるよう形成し、展示と収納の機能を一体化したものである。これにより、収納スペースを節約すると同時に、展示及び片付けの手間を軽減している。
しかし、特許文献１は展示に着眼して考案されたものであり、ブロック玩具を組上げる作業台やパーツと仕掛品をそれぞれ収納する容器を備えるものでないため、ブロック玩具の整理用途には適用できない。
【先行技術文献】
【特許文献】
【０００６】
【特許文献１】実開昭６２−１６６７９５号公報
【発明の概要】
【発明が解決しようとする課題】
【０００７】
そこで、本発明が解決しようとする課題は、ブロック玩具による造形物の作成ができる作業台をそなえ、ブロック玩具のパーツ及び仕掛品を分別して簡易かつ見栄えよく整理整頓することができる作業台兼用整理箱を提供することである。
【課題を解決するための手段】
【０００８】
上記課題を解決するため、本発明の作業台兼用整理箱は、等大の２個の立方体の箱体と箱体に載置する天板とからなり、第１の箱体及び第２の箱体はそれぞれ１面が一稜に設けられる回動軸で回動可能に軸支される扉板になっており、第２の箱体には扉板の軸と平行な隣り合う稜を支持軸として支え板が付加されており、扉板の回動軸が同一軸となる位置で第２の箱体を第１の箱体に載置した際に扉板の対面で互いに接する１稜を軸として回動可能に連結されて、第２の箱体が第１の箱体の上面に位置する縦置配置と第２の箱体が第１の箱体の背面に位置する横置配置が取れるよう第１の箱体に接続されている整理箱であって、縦置配置にあっては、第２の箱体の上面と、第２の箱体に備わる扉板と支え板を開けた状態にして扉板と支え板の上縁とで天板を支持するとともに、横置配置にあっては、第１の箱体の上面と第２の箱体の上に向いた面と、第１の箱体の開けた扉板の上縁、第２の箱体の開けた扉板の上縁及び開けた支え板の上縁のいずれかとで天板を支持することを特徴とする。
【０００９】
また、第２の箱体の両側面間に受軸が水平に架設されており、受軸に回転かごが軸支されて配されていることを特徴とする。
第２の箱体は、蝶番、接着テープ等の回動可能な連結具により第１の箱体に回動自在に連結されており、第１の箱体の上面に位置する縦置配置と、背面に位置する横置配置を取ることができる。
【００１０】
縦置配置では、第２の箱体の扉板と支え板を開けて、それぞれの上辺と第２の箱体の上面からなる面に天板を載置して作業台とし、ブロック玩具造形物の作成作業等に供することができる。また、横置配置では、両箱体の扉板及び支え板のいずれかを開けて、その上辺と横に並んだ両箱体の上の面に天板を安定に載置してより低い作業台とすることができる。
なお、それぞれの箱体は、一辺約３０ｃｍ程度の立方体とするのが良い。縦置配置では、高さが約６０ｃｍとなり、椅子に腰かけた状態で作業するのに適した高さとなる。また、横置配置では、天板面の高さが約３０ｃｍとなり、畳や床に座して作業するのに適する。
【００１１】
また、本発明の作業台兼用整理箱は、第１の箱体及び第２の箱体がそれぞれ収納箱となっており、例えばブロック玩具のパーツと作成途中の造形物仕掛品を別々に分けて整理収納することができる。回転かごを具備する形態では、回転かごにブロック玩具のパーツをまとめて収納し、組み立てるときに姿勢が変化しない第１の箱体に仕掛品を格納するとよい。
収納の際は、パーツと仕掛品を格納したのち、天板を外し、扉板と支え板を閉じれば、約３０ｃｍ×約３０ｃｍ×約６０ｃｍの直方体となり、重ねた箱体の側面に収まりよく片付けることができる。
【００１２】
軸受に軸支されて自由回転するように設置された回転かごは、第２の箱体を縦置配置から横置配置に変更したり、逆に横置配置から縦置配置に変更する際にも、収納物の自重により常に水平を維持することができる。したがって、回転かごを備えることにより、かごに入れた収納物のこぼれ出しを気にせず作業台兼用整理箱の組立解体を行うことができる。
【００１３】
天板は、作業台兼用整理箱と寸法を整合させることにより、組立解体および整理整頓を容易にさせるものとすることが好ましい。天板は、たとえば、１個の箱体の辺長の倍の辺長を持ち、箱体の一面の約４倍の面積を持つ正方形をなし、かつ１対の対辺を結ぶ中心線で２つ折り可能に形成して、整理箱の側面に脱着可能に固着できるようにすることができる。
かかる形状の天板とすれば、縦置配置、横置配置のいずれの場合でも、整理箱の側面に納まる大きさとなるため、収納の際に見栄え良く一体化して片づけることができる。天板は例えば磁石や面ファスナー等の固着具で整理箱の側面に脱着可能に固着できるようにすると良い。
【００１４】
また、第２の箱体の扉板及び支え板は、支持軸の反対側かつ縦置配置における下方に当たる一角を切り欠いた形態とすることもできる。本発明の作業台兼用整理箱は、縦置配置で使用する際に、天板を支えるために第２の箱体の扉板と支え板を開放して使用するが、座るために引寄せた椅子やソファの座面が扉板や支え板に当たる場合がある。したがって、椅子やソファに当たる部位を約１／４ほど切り欠くことで、扉板及び支え板が座面に干渉するのを防いで深く座れるようにすることができる。
【００１５】
なお、天板を２つ折りした際に天板が開かないよう天板の縁に留具を備えても良い。また、第１の箱体及び第２の箱体の扉や支え板の上端と天板の端部とを連接するための留具を備えても良い。天板を２つ折りに閉止するための留具は、扉や支え板と連接するための留具を兼用することもできる。
【発明の効果】
【００１６】
本発明の作業台兼用整理箱によれば、造形物を作成する作業台を簡単に組立てることができるうえ、ブロック玩具のパーツ及び仕掛品を分別して収納することができ、簡易にかつ見栄えよく整理整頓することができる。なお、本発明の作業台兼用整理箱は、ブロック玩具に限らず、２種の物品を分別して格納し、取り出して作業を行う必要がある対象物に広く活用することができる。
【図面の簡単な説明】
【００１７】
【図１】本発明の１実施例に係る作業台兼用整理箱の縦置配置の斜視図である。
【図２】本実施例の作業台兼用整理箱の使用例を示す斜視図である。
【図３】本実施例の作業台兼用整理箱の使用状況を説明する側面図である。
【図４】本実施例の作業台兼用整理箱の横置配置の使用例を現す斜視図である。
【図５】従来技術の雛壇兼収納箱の側面図である。
【発明を実施するための形態】
【００１８】
以下、図面を用い実施例に基づいて本発明の作業台兼用整理箱を詳細に説明する。
図１は本実施例における作業台兼用整理箱の縦置配置の斜視図である。第１の箱すなわち下箱１は１辺約３０ｃｍの中空立方体であり、図中右側に扉板となる扉２を有している。扉２は、図示しない蝶番あるいは接着テープなどの連結具により下箱１の開口に対して図中左方向に回動可能に設置されている。
【００１９】
第２の箱すなわち上箱３は下箱１と同じ大きさの立方体であり、同様に図中右側に扉４が備えられると共に、図中前面に支え板５が図示しない蝶番あるいは接着テープなどの連結具により左端を軸支されて回動可能に備えられている。上箱３の扉４及び支え板５は、それぞれ図中右下部分が切り欠いてある。下箱１と上箱３は図中右側の共通する稜線６に設けた蝶番あるいは接着テープなどの連結具により回動可能に連結されている。
【００２０】
下箱１と上箱３の図中背面には天板７が磁石８及び磁石８´（または磁石と鉄板）により固着されている。天板７は１辺約６０ｃｍの平板であり、中線で蝶番あるいは接着テープにより２つ折りできるよう形成されている。磁石８及び８´（または磁石と鉄板）は、折り畳んだ天板７の四隅、及び、下箱１と上箱３の対応する箇所に配されている。
【００２１】
下箱１の底面及び上箱３の上面の四隅には、滑り止め及び床の傷防止のため、薄いボタン状のクッション９が配されている。
上箱３の内部には、側板１０と側板１１の間に受軸１２が架け渡してあり、受軸１２に回転かご１３が軸支されて吊り下げられている。
【００２２】
図２は縦置配置した本実施例の作業台兼用整理箱に天板を載置した状態を表す斜視図、図３は作業台兼用整理箱を使用する場面を説明する側面図である。
縦置配置の場合は、上箱３の扉４及び支え板５を適度に開いて、天板７を展開した状態で、扉４、支え板５及び上箱３の上面で形成される支持面の上に設置する。上箱３の上面が天板を支えると共に、扉４及び支え板５の上縁で天板７の箱からはみ出た部分を支持するため、天板７の端部に下方向への力がかかっても安定して天板７を保持することができる。
【００２３】
本実施例の作業台兼用整理箱を縦置配置で使用する際は、扉４と支え板５の側方に椅子１４を引寄せ、椅子１４に腰かけて天板７上にブロック玩具等を広げて作業する。扉４と支え板５は、椅子の座面との干渉を防ぎ、椅子１４を整理箱近くまで引寄せることができるよう、端部の１／４を切り欠いてある。
【００２４】
ブロック玩具等の組立作業を終了もしくは中断し、ブロック玩具を片付ける場合は、ブロック玩具のパーツを回転かご１３に収納し、ブロック玩具造形物の仕掛品もしくは完成作品を下箱１に格納して、扉４を閉じ支え板５を畳む。この状態にすると、整理箱が重なって直方体となる。さらに、天板７を上面から外して２つ折りし、図１に図示したように、箱体の側面に磁石８及び磁石８´（または磁石と鉄板）で固着する。こうして、ブロック部品と造形物を見栄え良く収納することができる。また、箱と天板及びブロック部品と造形物の全体をそれぞれ定められた位置に収めることにより、簡単に片付けることができる。
【００２５】
箱体は、たとえば、薄板に形成した正方形の木製ボードを組み立てて利用することができる。４枚の側板の端近くに底板を嵌める溝が形成されており、この溝に底板を嵌めながら４枚の側板で周囲を囲って側板同士を固定することにより正方体の箱を形成する。底板の対面に形成された開口に蓋板を開閉可能に取り付けることにより、本実施例の箱を簡単に構成することができる。
【００２６】
側板同士の接合は、直角に曲がったスナップを板の突き合わせ部の端部に用いて、側板を挟んで隣の板同士を簡単に固定することができる。スナップの裏側にフックを設けて挟み込んだ板が戻って外れないようにすることもできる。
箱同士や箱と扉や支え板の間の接合具として、接着テープを使うと、組立てが容易な上、出っ張りが無く平らで綺麗な形状に仕上げることができる。
【００２７】
図４は本実施例の作業台兼用整理箱の横置配置の使用例を現す斜視図である。上箱３は下箱と接する稜線６に設けた連結具により下箱１の図中左側に回転して引き下ろされ、横置配置になっている。扉２、扉４及び支え板５を開き、それぞれの上辺及び下箱１と上箱３の上に向いた面で天板７を支持する。また、回転かご１３は、回転かご１３の自重及び内容物の重量により受軸１１を中心に回転する。
【００２８】
本実施例の作業台兼用整理箱を横置配置とすると、天板７の高さが約３０ｃｍとなり、床や畳に座して作業するのに丁度良い高さとなる。また、縦置配置から横置配置に変更する際や、横置配置から縦置配置に変更する際に、回転かご１３に内容物が入っていても、回転かご１３が重力により水平姿勢を保つので、内容物がこぼれ出るおそれがない。
なお、横置配置であっても、ブロック玩具のパーツを上箱３内の回転かご１３に収納し、仕掛品もしくは完成した作品を下箱１に保存することができる。
天板７を図中裏面に位置する磁石８´（または鉄板）を用いて固定し、扉２と扉４を閉じ支え板５を畳めば、直方体の箱として収まりよく片付けることができる。
【００２９】
以上のように、本実施例の作業台兼用整理箱は、椅子に腰かけた姿勢と床に座した姿勢それぞれに適した高さで作業ができる作業台を兼ねており、ブロック玩具のパーツ部品とブロック玩具による造形物をそれぞれ分別して収納し、見栄え良く片付けることができる。
【産業上の利用可能性】
【００３０】
本発明の作業台兼用整理箱によれば、作業台と整理箱を兼用し、小部品と造形中の仕掛品もしくは完成品を分けて収納するとともに作業台として利用することができる什器を提供することができる。
【符号の説明】
【００３１】
１  下箱
２、４  扉
３  上箱
５  支え板
６  蝶番
７  天板
８、８´  磁石（または磁石と鉄板）
９  クッション
１０、１１  側板
１２  受軸
１３  回転かご
１４  椅子
【図１】
2018068388.tif 000003
【図２】
2018068388.tif 000004
【図３】
2018068388.tif 000005
【図４】
2018068388.tif 000006
【図５】
2018068388.tif 000007
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
等大の２個の立方体の箱体と該箱体に載置する天板とからなり、第１の箱体及び第２の箱体はそれぞれ１面が一稜に設けられる回動軸で回動可能に軸支される扉板になっており、前記第２の箱体には前記扉板の軸と平行な隣り合う稜を支持軸として支え板が付加されており、前記扉板の回動軸が同一軸となる位置で前記第２の箱体を前記第１の箱体に載置した際に扉面の対面で互いに接する１稜を軸として回動可能に連結されて、前記第２の箱体が前記第１の箱体の上面に位置する縦置配置と前記第２の箱体が前記第１の箱体の背面に位置する横置配置が取れるよう前記第１の箱体に接続されている整理箱であって、前記縦置配置にあっては、前記第２の箱体に備わる扉板と前記支え板を開けた状態にして該扉板と該支え板の上縁及び前記第２の箱体の上面で前記天板を支持するとともに、前記横置配置にあっては、前記第１の箱体の上面と前記第２の箱体の上に向いた面と、前記第１の箱体の開けた扉板の上縁、前記第２の箱体の開けた扉板の上縁及び開けた前記支え板の上縁のいずれかとで前記天板を支持することを特徴とする作業台兼用整理箱。
【請求項２】
前記第２の箱体の両側面間に受軸が、前記第２の箱体と前記第１の箱体を回動させる軸に平行に架設されており、該受軸に回転かごが軸支されて配されていることを特徴とする請求項１に記載の作業台兼用整理箱。
【請求項３】
前記天板は、前記箱体の稜の長さの約２倍の長さの辺を持つ正方形をなし、かつ１対の対辺を結ぶ中心線で２つ折り可能に形成されており、折り畳んだ状態で前記整理箱の側面に脱着可能に固着できるものであることを特徴とする請求項１または２に記載の作業台兼用整理箱。
【請求項４】
前記第２の箱体の扉板及び前記支え板が、支持軸の反対側かつ前記縦置配置で下方に当たる一角が切り欠いてあることを特徴とする請求項１から３のいずれか１項に記載の作業台兼用整理箱。